【事件の表示】
　特願２０１４−１２７３６「インクジェット印刷装置、インクジェット印刷方法、印刷制御装置、プログラム及び記録媒体」拒絶査定不服審判事件〔平成２７年８月３日出願公開、特開２０１５−１３９９０３〕について、次のとおり審決する。
【結　論】
　本件審判の請求は、成り立たない。
【理　由】
第１　手続の経緯
　本願は，平成２６年１月２７日の出願であって，平成２９年７月１２日付けで拒絶理由通知がされ，同年９月１９日に意見書及び手続補正書が提出されたが，同年１１月３０日付けで，平成２９年７月１２日付けの拒絶理由通知により通知された理由（以下，「原査定の理由」という。）による拒絶査定がなされ，その謄本は同年１２月１９日に請求人に送達された。
　これに対し，平成３０年３月１６日に拒絶査定不服審判の請求がされると同時に手続補正がされたものである。
第２　平成３０年３月１６日にされた手続補正についての補正の却下の決定
　［補正の却下の決定の結論］
　平成３０年３月１６日にされた手続補正（以下，「本件補正」という。）を却下する。
　［補正の却下の決定の理由］
　１　本件補正の内容について
　（１）本件補正は，特許請求の範囲を全文にわたって補正するものであり，その補正の一部には，本件補正前の請求項１の記載を本件補正後の請求項１のとおりに補正する補正事項（以下，「本件補正事項」という。）を含むものである。
　ア　本件補正前の特許請求の範囲の請求項１の記載
　「【請求項１】
　記録媒体に対してインク滴を吐出して印刷するインクジェットヘッドを備えた印刷手段と，
　上記記録媒体上に着弾したインク滴を乾燥させる乾燥手段と，
　上記インクジェットヘッドを清掃する清掃手段と，
　　上記インクジェットヘッドの清掃中のインクの乾燥効率を，上記インクジェットヘッドからインク滴を吐出中のインクの乾燥効率よりも低下させる制御，及び，
　　上記インクジェットヘッドからインク滴を吐出中のインクの乾燥効率を，上記インクジェットヘッドの清掃中のインクの乾燥効率よりも向上させる制御の少なくとも一方を行う制御手段と，
を備え，
　上記乾燥手段は，上記記録媒体上に着弾した前記インク滴の乾燥を促すよう印刷面側に送風するファンを備え，
　上記制御手段は，上記インクジェットヘッドの清掃中の上記ファンの回転数を，上記インクジェットヘッドからインク滴を吐出中の上記ファンの回転数よりも低下させ，
　上記乾燥手段は，上記インクジェットヘッドに対向する位置において，印刷面に背向する面側から上記記録媒体を加熱するヒータを更に備えており，
　上記インクジェットヘッドによる上記印刷は，マルチパス方式により行われるものであることを特徴とするインクジェット印刷装置。」
　イ　本件補正後の特許請求の範囲の請求項１の記載
　「【請求項１】
　記録媒体に対して
溶媒を含む
　上記記録媒体上に着弾
され，乾燥が進行中の着弾後
滴から上記溶媒を揮発させて
　上記インクジェットヘッドを清掃する清掃手段と，
　　上記インクジェットヘッドの清掃中の
上記着弾後
滴
上記着弾後
滴
　　上記インクジェットヘッドからインク滴を吐出中の
上記着弾後
上記着弾後
滴
を備え，
　上記乾燥手段は，上記記録媒体
の
と，上記インクジェットヘッドに対向する位置において，印刷面に背向する面側から上記記録媒体を加熱するヒータと
　
上記ファンと，上記ヒータとは，上記制御手段によりその駆動が制御され，
　上記制御手段は，上記インクジェットヘッドの清掃中の上記ファンの回転数を，上記インクジェットヘッドからインクを吐出中の上記ファンの回転数よりも低下させ
，
　
上
　（２）本件補正の目的について
　ア　本件補正事項アは，本件補正前の請求項１における発明特定事項の「インク滴を吐出して印刷するインクジェットヘッド」において，「溶媒を含むインク滴を吐出して印刷するインクジェットヘッド」と，インク滴が「溶媒」を含むことを限定するものである点で特許法第１７条の２第５項第２号に規定する特許請求の範囲の減縮（いわゆる限定的減縮）を目的とするものに該当する。
　イ　本件補正事項イは，本件補正前の請求項１における発明特定事項の「記録媒体上に着弾したインク滴を乾燥させる乾燥手段」において，「乾燥が進行中の着弾後インク滴」及び「溶媒を揮発させて乾燥させる」と，着弾したインク滴，すなわち「着弾後インク滴」が，乾燥が進行中という状態にあること，「溶媒を揮発」させることが「乾燥」であることを限定するものである点で特許法第１７条の２第５項第２号に規定する特許請求の範囲の減縮（いわゆる限定的減縮）を目的とするものに該当する。
　ウ　本件補正事項ウは，本件補正前の請求項１における発明特定事項の「インクジェットヘッドの清掃中のインクの乾燥効率」及び「インクジェットヘッドからインク滴を吐出中のインクの乾燥効率」において，それぞれ「インクジェットヘッドの清掃中の上記着弾後インク滴の乾燥効率」及び「インクジェットヘッドからインク滴を吐出中の上記着弾後インク滴の乾燥効率」と，乾燥効率に関係するインクを「着弾後インク滴」であることを限定するものである点で特許法第１７条の２第５項第２号に規定する特許請求の範囲の減縮（いわゆる限定的減縮）を目的とするものに該当する。
　エ　本件補正事項エは，本件補正前の請求項１における発明特定事項の「上記記録媒体上に着弾した前記インク滴の乾燥を促すよう印刷面側に送風するファン」において，「上記記録媒体の印刷面側に送風するファン」と，ファンの「着弾したインク滴の乾燥を促す」という機能にかかる発明特定事項を削除するものであるから，特許法第１７条の２第５項の各号に規定するいずれの目的に該当するものではない。
　オ　本件補正事項オは，本件補正前の請求項１における発明特定事項の「制御手段は，上記インクジェットヘッドの清掃中の上記ファンの回転数を，上記インクジェットヘッドからインク滴を吐出中の上記ファンの回転数よりも低下させ」において，「上記ファンと，上記ヒータとは，上記制御手段によりその駆動が制御され」とするものであって，制御手段が「ファン」に加えて「ヒータ」の駆動をも制御することを追加するものであるから，特許法第１７条の２第５項の各号に規定するいずれの目的に該当するものではない。
　カ　本件補正事項カは，本件補正前の請求項１における発明特定事項において，「乾燥手段は，上記記録媒体上に着弾した前記インク滴の乾燥を促すよう印刷面側に送風するファンを備え」，「乾燥手段は，上記インクジェットヘッドに対向する位置において，印刷面に背向する面側から上記記録媒体を加熱するヒータを更に備えており」と，乾燥手段を構成する「ファン」と「ヒータ」に関して，２箇所に分けて記載されていたものを，「乾燥手段は，上記記録媒体の印刷面側に送風するファンと，上記インクジェットヘッドに対向する位置において，印刷面に背向する面側から上記記録媒体を加熱するヒータとを備え」と，「ファン」と「ヒータ」をまとめて一つの段落に記載する補正を行っているが，これは，特許法第１７条の２第５項の各号に規定するいずれの目的に該当するものではない。
　（３）独立特許要件についての検討
　上記の本件補正事項エ乃至カは特許法第１７条の２第５項の各号に規定するいずれの目的に該当するものではないが，仮に，特許請求の範囲の減縮（いわゆる限定的減縮）を目的とするものに該当するとして，念のために，本件補正後の請求項１に係る発明（以下，「本件補正発明」という。）が特許出願の際に独立して特許を受けることができるものであるか（同条第６項において準用する同法第１２６条第７項の規定に適合するか否か）について以下に検討する。
　ア　本件補正発明
　本件補正発明は，上記１（１）イにおいて摘示したとおりの発明特定事項により特定されるものである。
　イ　引用例
　（ア）原査定の拒絶の理由の引用文献１として引用され，本願の出願前に頒布された刊行物である国際公開第２００４／０９４１５０号（以下，「引用文献１」という。）には，つぎの事項が記載されている。
　Ａ　「第１図と第２図に示した
インクジェットプリンタは
プリントヘッド１４を，プラテンの中央部２２上方を左右方向（第１図の表裏面方向）に走行させるプリント手段１０と，プラテン２０上に搬入されたメディア３０を，プラテン２０上を前方に向けて搬送する搬送手段６０とを有している
　また，
プラテンの後部２４上をプリントヘッド１４の走行経路下方に向けて前方に搬送されるメディア３０を予備的に加熱するプリヒータ４０と，プリントヘッド１４の走行経路下方のプラテンの中央部２２上に搬入されて，プリントヘッドのノズル１２から噴射されるインク滴を着弾させるメディア３０を加熱するプリントヒータ７０とが設けられている
プリントヒータ７０は，プラテンの中央部２２内側に配置されていて，そのプリントヒータ７０が発する熱を，プラテン２０を介して，プラテンの中央部２２上に搬入されるメディア３０に伝えて，そのメディア３０を加熱する構造をしている
　
インク滴を噴射させるプリントヘッド１４に供給されるインクには，溶剤インクが用いられている
　また，
プラテンの中央部２２上に搬入されて，プリントヘッドのノズル１２から噴射されるインク滴を着弾させるメディア３０の表面温度が，３０〜７０℃となるように，メディア３０を加熱するプリヒータ４０及びプリントヒータ７０の加熱温度を制御する温度制御手段８０が備えられている。
　Ｂ　「次いで，その
表面温度が所望温度の３０〜７０℃となるように的確に加熱されたメディア３０表面に，溶剤インクが供給されるプリントヘッドのノズル１２から噴射させた溶剤インクからなるインク滴を着弾させる
　すると，その
メディア３０表面に着弾させた溶剤インクからなるインク滴を，その着弾箇所周囲のメディア３０に広く浸透させることなく，その３０〜７０℃に的確に加熱されたメディア３０表面の着弾部位に小径のドット状に定着させた状態のまま時間をおかずに素早く乾燥させることができる
　Ｃ　「このインクジェットプリンタにおいては，第２図に示されたように，
プリントヘッド１４をプラテン２０脇部のメンテナンスステーション１３０に移動させて，そのプリントヘッドのノズル１２からインク滴を試吐出（フラッシング）させ，そのプリントヘッドのノズル１２内で前記溶剤インクが固化して目詰まりを起こすのを防ぐリフレッシュモード手段１４０を備えると良い
溶剤インクを用いてメディア３０表面に絵図や文字をプリントする途中で，リフレッシュモード手段１４０を用いて，プリントヘッド１４をメンテナンスステーション１３０に移動させて，そのプリントヘッドのノズル１２からインク滴をメンテナンスステーション１３０に備えられた受け皿１１０内等に試吐出させると良い
　また，そうした場合には，そのリフレッシュモード手段１４０を，一定の時間毎に，プリントヘッド１４をメンテナンスステーション１３０に移動させて，そのプリントヘッドのノズル１２からインク滴を試吐出させる構造とすると良い。そして，
溶剤インクを用いて絵図や文字をメディア３０表面にプリントする途中の一定時間毎に，リフレッシュモード手段１４０を用いて，プリントヘッド１４をメンテナンスステーション１３０に移動させて，そのプリントヘッドのノズル１２からインク滴を強制的に試吐出させる
　Ｄ　「このインクジェットプリンタにおいては，第３図に示したように，
プリントヘッド１４の走行経路下方からプラテンの前部２６上に搬出されるメディア３０表面の着弾箇所に付着しているインク滴を乾燥させる乾燥手段１５０を備えると良い
乾燥手段１５０は，温風乾燥機，赤外線乾燥機，セラミックやニクロム線等を用いたヒータ乾燥機などを，単独又は組み合わせて用いると良い
　引用文献１の上記記載事項によれば，引用文献１には以下の事項（以下，「引用発明１」という。）が記載されていると認められる。
　「プリントヘッドを，プラテンの中央部上方を左右方向に走行させるプリント手段と，プラテン上に搬入されたメディアを，プラテン上を前方に向けて搬送する搬送手段とを有しているインクジェットプリンタであって，
　プリントヘッドのノズルから噴射されるインク滴を着弾させるメディアを加熱するプリヒータとプリントヒータとが設けられ，
　インク滴を噴射させるプリントヘッドに供給されるインクには，溶剤インクが用いられ，
　プラテンの後部上をプリントヘッド１４の走行経路下方に向けて前方に搬送されるメディアを予備的に加熱するプリヒータと，プリントヘッドの走行経路下方のプラテンの中央部上に搬入されて，プリントヘッドのノズルから噴射されるインク滴を着弾させるメディアの表面温度が，３０〜７０℃となるように，メディアを加熱するプリヒータ及びプリントヒータの加熱温度を制御する温度制御手段が備えられ，
　該プリントヒータは，プラテンの中央部内側に配置されていて，そのプリントヒータが発する熱を，プラテンを介して，プラテンの中央部上に搬入されるメディアに伝えて，そのメディアを加熱することで，メディア表面に着弾された溶剤インクからなるインク滴を，その着弾箇所周囲のメディアに広く浸透させることなく，その３０〜７０℃に的確に加熱されたメディア表面の着弾部位に小径のドット状に定着させた状態のまま時間をおかずに素早く乾燥させることができるものであって，
　プリントヘッドをプラテン脇部のメンテナンスステーションに移動させて，そのプリントヘッドのノズルからインク滴を試吐出（フラッシング）させ，そのプリントヘッドのノズル内で前記溶剤インクが固化して目詰まりを起こすのを防ぐリフレッシュモード手段を備えることができ，　
　該リフレッシュモード手段は，溶剤インクを用いて絵図や文字をメディア表面にプリントする途中の一定時間毎に，プリントヘッドをメンテナンスステーションに移動させて，そのプリントヘッドのノズルからインク滴を強制的に試吐出させる構造とし，
　プリントヘッドの走行経路下方からプラテンの前部上に搬出されるメディア表面の着弾箇所に付着しているインク滴を乾燥させる温風乾燥機を備えるインクジェットプリンタ。」
　（イ）原査定の拒絶の理由の引用文献２として引用され，本願の出願前に頒布された刊行物である特開２０１３−６００１８号公報（以下，「引用文献２」という。）には，つぎの事項が記載されている。
　Ａ　「【００１６】
　印刷ヘッド１３は，その後側面で形成された凹凸が，ガイドレール１４の前側面に形成された凹凸と摺動可能に係合することで，ガイドレール１４に沿って左右方向に往復自在であり，印刷ヘッド１３の内部には，複数のインクカートリッジ（図示せず）から送られてきた液体インクを，プラテン１６上の印刷媒体２に向けて噴射可能となるように下方に向けて設置された複数のノズル（図示せず）が，印刷媒体２と対向して設置されている。また，印刷ヘッド１３は，図３に示すように平面視において，その右側面に略三角形状で上下方向に所定幅を有した摺動突起１３ａが右方向に向けて立設しており，この摺動突起１３ａの後側面には，左側後方から右側前方に向けて傾斜した摺動斜面１３ｂが形成されて，上下方向において，この摺動斜面１３ｂと後述する当接円柱３２とが当接するように構成されている。さらに，
印刷ヘッド１３は，ガイドレール１４に沿って右側端部（待機位置）に移動したときに，印刷ヘッド１３と後述するメンテナンス装置２０のインク受容室３５とが，上下に対向する
　Ｂ　「【００３２】
　以上，ここまでは，
インクジェットプリンタ１
【００３３】
　まず，ステップＳ１において，図５に示すように，
印刷ヘッド１３はガイドレール１４の右側端部の待機位置におり
【００３４】
　次に，ステップＳ２において，図５に示す状態で，
各ノズルのノズル先端部分で滞留した残留インクを，インク受容室３５に向けて噴射して排出する
【００３５】
　次に，ステップＳ３に進み，図５に示すように，ワイパー３８がワイパー駆動部３８ａによって，二点破線で示す３８ｂの位置に移動する。このとき，３８ｂの位置に移動することで，印刷ヘッド１３がガイドレール１４に沿って左方向に移動するときに，噴出開口１３ｃにワイパー３８の先端部が当接可能となる。
【００３６】
　次に，ステップＳ４において，
印刷ヘッド１３は，待機位置からガイドレール１４に沿って左方向に移動して印刷が開始される
噴出開口１３ｃにワイパー３８の先端が当接しながら左方向に移動することで，噴出開口１３ｃ付近に付着した残留インクを，ワイパー３８によって拭き取る
　引用文献２の上記記載事項によれば，引用文献２には以下の事項（以下，「引用文献２記載事項」という。）が記載されていると認められる。
　「印刷ヘッドは，ガイドレールに沿って右側端部（待機位置）に移動したときに，印刷ヘッドとメンテナンス装置のインク受容室とが，上下に対向するように構成されており，
　印刷ヘッドはガイドレールの右側端部の待機位置にあるとき，
　各ノズルのノズル先端部分で滞留した残留インクを，インク受容室に向けて噴射して排出し，
　印刷ヘッドは，待機位置からガイドレールに沿って左方向に移動して印刷が開始されるが，噴出開口にワイパーの先端が当接しながら左方向に移動することで，噴出開口付近に付着した残留インクを，ワイパーによって拭き取るインクジェットプリンタ。」
　（ウ）原査定の拒絶の理由の引用文献３として引用され，本願の出願前に頒布された刊行物である特開２０１１−１０１９７４号公報（以下，「引用文献３」という。）には，つぎの事項が記載されている。
　Ａ　「【０００９】
　本発明の実施形態の
インクジェット方式のプリント装置
　Ｂ　「【００１２】
　
プリント部は，キャリッジ２０１及びプリントヘッド２０７を有する
キャリッジ２０１には，シート２０６にインクを付与してプリントを行うためのインクジェット方式のプリントヘッド２０７が搭載されている
【００１３】
　
シートが排出ローラ２０５から排出された後の経路には乾燥部２１１が設けられている。乾燥部２１１はヒータを内蔵し，プリントヘッド２０７を含むプリント機構でインクが付与されたシートを加熱する乾燥機を備え
乾燥部２１１は乾燥能力（単位時間あたりの加熱量）が可変に制御される。制御部２１２は，搬送機構，プリント部，乾燥部２１１を始めプリント装置全体の各種制御を司るコントローラを有する
　Ｃ　「【００１６】
　
プリント部で画像形成されたシート２０６は排出ローラ２０５によりプリント部から排出され，次いで乾燥部２１１に導入される
インクが付与されたシートは乾燥部２１１に通過しながら加熱されることで乾燥促進がなされる
【００１７】
　図２は乾燥部２１１の内部構成を示す構成図である。図２（ａ）は送風式の乾燥機の例である。
ヒータ３０２が熱を発生し，ファン３０１によってヒータ３０２で発生した熱をシートのインク付与面に送風することでシートを乾燥させる。ヒータ３０２に投入される電気エネルギとファン３０１の回転数を可変にすることで，シートに対する乾燥能力を変えることができる
　Ｄ　「【００３４】
　（３）プリントデューティ
　
プリントデューティに応じてプリントパス数及びシート搬送速度を変えるプリント制御を説明する
【００３５】
　図９は，プリントデューティに応じてプリントパス数及びシート搬送速度を変えるプリント制御時のヒータ制御を説明するための図であり。シートに対するヒータ熱量の関係を示す。図９（ａ）は各タイミングＡ〜Ｃにおけるヒータ熱量を示す。図９（ｂ）はシートに対して加えられる熱量の分布を示し，
白は１パスプリント領域，グレーは２パスプリント領域を示す
【００３６】
　図９（ａ）において，
タイミングＡは１パスプリント（ヘッド位置１）の場合である。プリントヘッドのインク付与位置におけるプリントデューティが所定の一定値以下のときに標準の１パスプリントが選択される。シートは標準の搬送速度で搬送され，ヒータの熱量は標準の「中」に設定される。タイミングＢは２パスプリント（ヘッド位置２）の場合である。プリントヘッドのインク付与位置におけるプリントデューティが所定の一定値よりも大きいときに２パスプリントが選択される
プリントパス数はここでは１パス／２パスを例に挙げたが，パス数これに限らず例えば２パス／４パス，あるいは更にパス数を多くしてもよい
　Ｅ　「【００３７】
　（４）ウェイトイベント発生
　
プリント動作中にウェイトイベントが発生したら，シート搬送を一時停止させるプリント制御
【００３８】
　図１０は，ウェイトが発生した時のヒータ制御を説明するための図であり，シートに対するヒータ熱量の関係を示す。図１０（ａ）はウェイトイベントが発生した場合と無い通常状態とにおけるヒータの熱量を示す。通常はヒータ熱量「大」で加熱する。ウェイトが発生したらヒータをオフにして熱量は「無」にする。図１０（ｂ）はシートに対して加えられる熱量の分布を示す。この例では，ヘッド位置１，ヘッド位置２でウェイトイベントが発生して，これらに対応してヒータ位置１，ヒータ位置２がある。
【００３９】
　先の図４〜図６で説明したように，プリント実行中にウェイトイベントが発生することがある。例えば，ＬＡＮなどのインターフェース経由でホストＰＣからプリントデータがプリント装置に転送されるシステムでは，データの転送レートが制限され，それが原因でプリントのウェイトが発生する場合がある。逆に，受信バッファが溢れて受信不能となり，ウェイトが発生する場合がある。また，プリントデータの生成が間に合わずにウェイトが発生する場合がある。ウェイトイベントが発生した場合には，ウェイトが解除されるまでの時間を精確に予測することは困難である。そこで，
ウェイトイベントが発生してプリント動作が停止したら，ヒータ加熱を一旦オフにして，ウェイトが長引くことで過剰にシートが加熱されるのを防ぐ
ウェイトが解除されたらヒータの熱量を元に戻してプリント動作を再開する
オフとはヒータ加熱は完全に停止させるものには限定されず，通常よりも熱量を小さくして乾燥能力を小さくする形態をいう
搬送が停止した位置で過剰に過熱されることがないので全体としてムラのない乾燥がなされ，ひいては画像ムラが少ない良好な画質のプリントが実現する
　引用文献３の上記記載事項によれば，引用文献３には以下の事項（以下，「引用発明３」という。）が記載されていると認められる。
　「キャリッジと該キャリッジに搭載されシートにインクを付与してプリントを行うためのインクジェット方式のプリントヘッドを有するプリント部と，
　シートが排出ローラから排出された後の経路に設けられ，インクが付与されたシートを加熱する乾燥機を備えた乾燥部と，
　該乾燥部は，制御部が有するコントローラによって，乾燥能力（単位時間あたりの加熱量）が可変に制御されるものであって，
　ヒータが熱を発生し，ファンによってヒータで発生した熱をシートのインク付与面に送風することでシートを乾燥させているが，ヒータに投入される電気エネルギとファンの回転数を可変にすることで，シートに対する乾燥能力を変えることができ，
　プリント動作中にウェイトイベントが発生したら，シート搬送を一時停止させるプリント制御が行われ，
　該ウェイトイベントが発生してプリント動作が停止したら，ヒータ加熱を一旦オフにして，ウェイトが長引くことで過剰にシートが加熱されるのを防ぎ，ウェイトが解除されたらヒータの熱量を元に戻してプリント動作を再開し，
　前記オフとはヒータ加熱は完全に停止させるものや，通常よりも熱量を小さくして乾燥能力を小さくする形態が含まれ，
　搬送が停止した位置で過剰に過熱されることがないので全体としてムラのない乾燥がなされ，ひいては画像ムラが少ない良好な画質のプリントが実現する
　インクジェット方式のプリント装置。」
　（エ）原査定において引用文献４として引用され，本願の出願前に電気通信回線を通じて公衆に利用可能となった，「株式会社ミマキエンジニアリング，「ＪＶ４００　Ｓｅｒｉｅｓ」発売開始のお知らせ，[online]　２０１２年２月１３日，
ＵＲＬ，http://japan.mimaki.com/news/product/entry-34777.htm」（以下，「引用文献４」という。）には，つぎの事項（以下，「引用文献４記載事項」という。）が記載されている。
　Ａ　「プリント速度の項目，『高速モード　18.1m２/h（900×900dpi），
6pass
8pass
　ウ　対比
　（ア）本件補正発明と引用発明１とを対比する。
　引用発明１の「メディア」は，本件補正発明の「記録媒体」に相当する。
　以下同様に，引用発明１の「インク滴を噴射させるプリントヘッド」及び「プリントヘッド」は，本件補正発明の「インクジェットヘッド」に，
　引用発明１の「プリント手段」は，本件補正発明の「印刷手段」に，
　引用発明１の「インクジェットプリンタ」は，本件補正発明の「インクジェット印刷装置」に，それぞれ相当する。
　引用発明１のプリントヘッドに供給されるインクは「溶剤インク」であるから，プリントヘッドのノズルから噴射されるインク滴には，本件補正発明と同じく「溶媒」が含まれていることは自明である。
　引用発明１の「プリントヒータ」は，「メディアを加熱することで，メディア表面に着弾された溶剤インクからなるインク滴を，その着弾箇所周囲のメディアに広く浸透させることなく，その３０〜７０℃に的確に加熱されたメディア表面の着弾部位に小径のドット状に定着させた状態のまま時間をおかずに素早く乾燥」させる機能を有しており，乾燥が進行中の着弾後インク滴から溶媒を揮発させて乾燥させていることに他ならないから，本件補正発明の「乾燥手段」に相当する。
　また，引用発明１の「プリントヒータ」は「プラテンの中央部内側に配置されていて，そのプリントヒータが発する熱を，プラテンを介して，プラテンの中央部上に搬入されるメディアに伝え」，「メディア」は「プラテンの中央部上に搬入されて，プリントヘッドのノズルから噴射されるインク滴を着弾させ」られるものであるから，本件補正発明の「インクジェットヘッドに対向する位置において，印刷面に背向する面側から上記記録媒体を加熱するヒータ」に相当する。
　引用発明１の「温風乾燥機」は，「プリントヘッドの走行経路下方からプラテンの前部上に搬出されるメディア表面の着弾箇所に付着しているインク滴を乾燥」させる機能を有しており，当該機能が進行中の着弾後インク滴から溶媒を揮発させて乾燥させていることに他ならないから，本件補正発明の「乾燥手段」に相当する。
　また，上記「（２）引用例　ア　（エ）」の「乾燥手段１５０は，温風乾燥機…」との記載，及び引用文献１のＦＩＧ．３に記載された部材番号１５０の図の形状より，乾燥手段１５０は，送風する機能を備えた装置であることは明らかであることからみて，引用発明１の「温風乾燥機」は，本件補正発明の「記録媒体の印刷面側に送風するファン」に相当する。
　引用発明１の「リフレッシュモード手段」は，「プリントヘッドをプラテン脇部のメンテナンスステーションに移動させて，そのプリントヘッドのノズルからインク滴を試吐出（フラッシング）させ，そのプリントヘッドのノズル内で前記溶剤インクが固化して目詰まりを起こすのを防ぐ」ためのものであるから，プリントヘッドのメンテナンス手段であるといえる。また，本件補正発明の「清掃手段」は，本願明細書の段落【００３０】の「
清掃手段としてのワイパー１２
ワイパー１２は
インクジェットヘッド１１を定期的にメンテナンスして清掃する
　引用発明１の「温度制御手段」は，プリントヒータの加熱温度を制御しており，上述のとおり，引用発明１の「プリントヒータ」は，本件補正発明の「ヒータ」に相当するから，引用発明１の「温度制御手段」は，本件補正発明の「制御手段」に相当する。
　イ　一致点及び相違点
　上記アの対比を踏まえると，本件補正発明と引用発明１とは，つぎの一致点において一致し，つぎの各相違点で相違する。
＜一致点＞
　「記録媒体に対して溶媒を含むインク滴を吐出して印刷するインクジェットヘッドを備えた印刷手段と，
　上記記録媒体上に着弾され，乾燥が進行中の着弾後インク滴から上記溶媒を揮発させて乾燥させる乾燥手段と，
　インクジェットヘッドのメンテナンス手段と，
を備え，
　上記乾燥手段は，上記記録媒体の印刷面側に送風するファンと，上記インクジェットヘッドに対向する位置において，印刷面に背向する面側から上記記録媒体を加熱するヒータ　上記ヒータは，上記制御手段によりその駆動が制御されるインクジェット印刷装置。」
＜相違点１＞
　本件補正発明は，インクジェットヘッドのメンテナンス手段として「インクジェットヘッドを清掃する清掃手段」を有するものであるのに対して，引用発明１は，インクジェットヘッドのメンテナンス手段として「プリントヘッドのノズル内で前記溶剤インクが固化して目詰まりを起こすのを防ぐリフレッシュモード手段」を有しているものの，インクジェットヘッドを清掃する「清掃手段」を有するものではない点。
＜相違点２＞
　本件補正発明の制御手段は「インクジェットヘッドの清掃中の着弾後インク滴の乾燥効率を，上記インクジェットヘッドからインク滴を吐出中の上記着弾後インク滴の乾燥効率よりも低下させる制御，及び，上記インクジェットヘッドからインク滴を吐出中の上記着弾後インク滴の乾燥効率を，上記インクジェットヘッドの清掃中の上記着弾後インク滴の乾燥効率よりも向上させる制御の少なくとも一方を行う」ものであるのに対して，引用発明１の「温度制御手段」は，そのような制御を行うか不明である点。
＜相違点３＞
　本件補正発明において「ファンと，ヒータとは，制御手段によりその駆動が制御され，
　上記制御手段は，インクジェットヘッドの清掃中の上記ファンの回転数を，上記インクジェットヘッドからインクを吐出中の上記ファンの回転数よりも低下」しているのに対して，引用発明１において「プリントヒータは，制御手段によりその駆動が制御」されているものの，「ファン」の制御については不明である点。
＜相違点４＞
　本件補正発明において「インクジェットヘッドによる印刷は，マルチパス方式により行わ」れるのに対して，引用発明１は，その点について不明である点。
　エ　相違点についての検討
　（ア）相違点１について
　「インクジェットヘッドを清掃する清掃手段」として，引用文献２記載事項には「印刷ヘッドの噴出開口付近に付着した残留インクを拭き取るワイパー」が記載されている。
　そして，インクジェットヘッドのメンテナンス手段として，引用文献２記載事項に記載される「インクジェットヘッドの前面（印刷用紙との対向面）に付着したインクをワイパーで拭き取る手段」，いわゆる「ワイプ手段」又は「ワイピング手段」，及び，引用発明１に記載される「プリントヘッドのノズル内で前記溶剤インクが固化して目詰まりを起こすのを防ぐリフレッシュモード手段」，いわゆる「フラッシング手段」は，両者とも周知技術（以下，「周知技術１」及び「周知技術２」という。）である。
　そして，インクジェットヘッドがメンテナンス手段を備えることは，きわめて普通に行われていることであって，そのようなメンテナンス手段として，周知技術１の「ワイプ手段」又は「ワイピング手段」とするか，周知技術２の「フラッシング手段」とするかは，当業者が適宜選択しうるものであって，本件補正発明のように周知技術１の「ワイプ手段」又は「ワイピング手段」を選択して，相違点１に係る本件補正発明の発明特定事項とすることは，課題を解決するための技術の具体的適用に伴う設計的事項の採用であって，当業者の通常の創作能力の発揮にすぎないから，当業者が容易に想到し得たものである。
　（イ）相違点２について
　本件補正発明のものも，引用発明１のものも，インクジェットヘッドのメンテナンス手段を有しており，該メンテナンス手段が作動中は，印刷動作は中断しており，印刷途中であっても，記録媒体（メディア）が搬送されずに，印刷動作が中断された位置で停止していることは自明である。
　引用発明３において，「プリント動作中にウェイトイベントが発生したら，シート搬送を一時停止させるプリント制御」が行われており，シート搬送の一時停止中にシートが過剰に過熱されて画像ムラが生じることを防止するために，「ウェイトイベントが発生してプリント動作が停止したら，ヒータ加熱を一旦オフ」にしている。
　また，引用発明３において，「ヒータ加熱を一旦オフ」にするとは，「ヒータ加熱は完全に停止させるものや，通常よりも熱量を小さくして乾燥能力を小さくする形態」が含まれる。
　ここで，引用発明３の乾燥部が乾燥するインクは，シートに付与されたものであるから，着弾後のインクであるといえ，引用発明３は，シートの搬送の一時停止中の着弾後のインクの乾燥部の乾燥能力を，プリント動作中の着弾後のインクの乾燥部の乾燥能力よりも低下させる制御を行っているといえる。
　上述のとおり，本件補正発明において，インクジェットヘッドの清掃中に記録媒体が搬送されないのであるから，本件補正発明と引用発明３とは「記録媒体の搬送停止中の着弾後インク滴の乾燥効率を，インクジェットヘッドからインク滴を吐出中の上記着弾後インク滴の乾燥効率よりも低下させる制御」を行っている点で共通している。
　そして，引用発明１において，リフレッシュモード手段が作動している間はメディアの搬送が停止していることは自明であることを踏まえると，引用発明１も引用発明３も，乾燥手段を備えたインクジェットプリンタである点で共通する技術分野に属し，そのようなインクジェットプリンタにおいて，本願明細書の段落【００４１】に記載されているような「インクジェットヘッド１１による印刷を停止している間も，記録媒体５０上に吐出されたインクの乾燥は進行するため，印刷停止時間に乾燥したインク部分に乾燥ムラが生じることがある。そして，この乾燥ムラは，濃度ムラとして印刷物に現れ，印刷物の質の低下につながる。」という課題は，引用発明１及び引用発明３においても存在する自明な課題にすぎず，当該自明な課題を解決するために，「シートの搬送の一時停止時の着弾後のインクの乾燥部の乾燥能力を，プリント動作中の着弾後のインクの乾燥部の乾燥能力よりも低下させる制御」を，引用発明１のリフレッシュモード手段が作動している間に適用することに何ら技術的困難性はなく，「シートの搬送の一時停止」の原因として，本件補正発明のように「インクジェットヘッドの清掃」とすることについては，「ア　相違点１について」で述べたように「インクジェットヘッドの清掃」が周知技術１であることを踏まえると，引用発明１に引用発明３と周知技術１を適用し，相違点２に係る本件補正発明の発明特定事項とすることは，課題を解決するための技術の具体的適用に伴う設計的事項の採用であって，当業者の通常の創作能力の発揮にすぎないから，当業者が容易に想到し得たものである。
　（ウ）相違点３について
　引用発明３には，「ヒータに投入される電気エネルギとファンの回転数を可変にすることで，シートに対する乾燥能力を変える」ことが記載されている。
　また，引用発明３が「シートの搬送の一時停止時の着弾後のインクの乾燥部の乾燥能力を，プリント動作中の着弾後のインクの乾燥部の乾燥能力よりも低下させる制御」を行っていることは「（イ）相違点２について」で述べたとおりである。
　してみると，「シートの搬送の一時停止時の着弾後のインクの乾燥部の乾燥能力を，プリント動作中の着弾後のインクの乾燥部の乾燥能力よりも低下させる制御」において，ファンの回転数に関して「シートの搬送の一時停止時のファンの回転数を，プリント動作中のファンの回転数よりも低下」させるように制御することは，引用発明３に実質的に記載されているといえる。
　また，「シートの搬送の一時停止」の原因として，本件補正発明のように「インクジェットヘッドの清掃」とすることについては，「（ア）相違点１について」で述べたように「インクジェットヘッドの清掃」が周知技術１であることを踏まえると，引用発明１に引用発明３と周知技術１を適用し，相違点３に係る本件補正発明の発明特定事項とすることは，課題を解決するための技術の具体的適用に伴う設計的事項の採用であって，当業者の通常の創作能力の発揮にすぎないから，当業者が容易に想到し得たものである。
　（エ）相違点４について
　相違点４に係る本件補正発明の発明特定事項である「マルチパス方式」は，インクジェットヘッドを有するプリンタのみならず，プリンタ全般において周知技術（以下，「周知技術３」という。）である。
　必要であれば，引用文献３の段落【００３４】乃至【００３６】，引用文献４記載事項を参照されたい。
　そして，引用発明１において，プリンタの技術分野全般において広く知られた周知技術３を適用することに格別の技術的困難性はなく，引用発明に周知技術３を用いて，相違点４に係る本件補正発明の発明特定事項のようにすることは当業者が容易に想到し得るものである。
　また，本件補正発明の発明特定事項全体によって奏される作用効果も，引用発明１及び３，並びに（引用文献２記載事項に記載された）周知技術１及び（引用文献３及び引用文献４記載事項に記載された）周知技術３から，当業者が予測しうる程度のものである。
　したがって，本件補正発明は，引用発明１及び３，並びに（引用文献２記載事項に記載された）周知技術１及び（引用文献３及び引用文献４記載事項に記載された）周知技術３から当業者が容易に発明をすることができたものである。
　（３）補正の却下の決定のむすび
　以上検討したように，本件補正発明は，引用発明１及び３，並びに（引用文献２記載事項に記載された）周知技術１及び（引用文献３及び引用文献４記載事項に記載された）周知技術３から当業者が容易に発明をすることができたものであって，特許法第２９条第２項の規定により特許を受けることができないものである。
　したがって，本件補正発明は，特許出願の際，独立して特許を受けることができないものであって，本件補正は，特許法第１７条の２第６項において読み替えて準用する同法第１２６条第７項の規定に違反するから，本件補正は，同法第１５９条第１項で読み替えて準用する第５３条第１項の規定により却下されるべきものである。
　よって，上記補正の却下の決定の結論のとおり決定する。
第３　本願発明について
　１　本願発明
　本件補正は，上記「第２」のとおり却下されたので，本願の請求項１乃至１０に係る発明は，平成２９年９月１９日にされた手続補正による補正後の特許請求の範囲の請求項１乃至１０に記載された事項により特定されるものであって，そのうち請求項１に係る発明は，上記第２の１（１）アにおいて説示したとおりのものである。（以下，請求項１に係る発明を「本願発明」という。）　
　２　引用例及びその記載事項
　原査定で引用された引用文献１乃至３に記載の事項並びに引用発明１乃至３は，それぞれ，上記第２の２（２）において説示し，認定したとおりである。
　３　本願発明と引用発明との対比・判断
　本願発明は，上記第２の２で検討した本件補正発明から，
　（１）インク滴が「溶媒を含む」点，
　（２）乾燥手段の乾燥が「乾燥が進行中の着弾後インク滴から溶媒を揮発」させる点，
　（３）乾燥効率が「着弾後インク滴の乾燥効率」である点，
　（４）ファンとヒータが「制御手段によりその駆動が制御」される点である技術事項を除いたものである。
　そうすると，本願発明の発明特定事項をすべて含み，さらに他の発明特定事項である上記の（１）乃至（４）を付加したものに相当する本件補正発明が，前記「第２　３」に記載したとおり，引用発明１及び３，並びに（引用文献２記載事項に記載された）周知技術１及び（引用文献３及び引用文献４記載事項に記載された）周知技術３に基づいて当業者が容易に発明をすることができたものであるから，本願発明も，同様の理由により，当業者が容易に発明をすることができたものである。
　４　むすび
　上記で検討したとおり，本願発明は，引用発明１及び３，並びに（引用文献２記載事項に記載された）周知技術１及び（引用文献３及び引用文献４記載事項に記載された）周知技術３に基づいて当業者が容易に発明をすることができたものであるから，特許法第２９条第２項の規定により特許を受けることができない。
　したがって，他の請求項について論及するまでもなく，本願は拒絶すべきものである。　よって，上記結論のとおり審決する。